【手続補正書】
【提出日】平成17年12月27日(2005.12.27)
【手続補正１】
【補正対象書類名】明細書
【補正対象項目名】特許請求の範囲
【補正方法】変更
【補正の内容】
【特許請求の範囲】
【請求項１】
位置情報を含むオブジェクトデータを入力するオブジェクト入力手段と、
前記オブジェクトデータに対する属性データを入力する属性入力手段と、
前記入力されたオブジェクトデータと属性データとを対応付けて複数記憶する記憶手段と、
前記記憶されたオブジェクトデータを、前記位置情報に基づいた位置に表示する表示手段と
を備える情報処理装置において、
前記記憶されたオブジェクトデータを検索するための検索データを入力する検索データ入力手段と、
前記入力された検索データに基づいて、前記記憶手段に記憶されているオブジェクトデータを検索する検索手段と、
前記検索されたオブジェクトデータを、前記位置情報とは異なる位置に表示する検索結果表示手段と
を更に備えることを特徴とする情報処理装置。
【請求項２】
前記属性データは日付情報を含み、
前記検索データは日付範囲を示す情報を含み、
前記検索結果表示手段は、前記日付範囲に基づくカレンダー表を表示するとともに、該カレンダー表上の前記日付データに基づく位置に、前記検索されたオブジェクトデータを表示することを特徴とする請求項１に記載の情報処理装置。
【請求項３】
前記オブジェクトデータは画像データ、インクデータ、テキストデータ、音声データのいずれかを含むことを特徴とする請求項１または請求項２に記載の情報処理装置。
【請求項４】
前記表示手段は、前記位置情報に基づいた位置に、前記オブジェクトデータに基づくオブジェクトイメージおよび、前記属性データに基づく属性イメージを表示することを特徴とする請求項１〜請求項３のいずれかに記載の情報処理装置。
【請求項５】
前記検索結果表示手段は、前記オブジェクトデータに基づくオブジェクトイメージの一部あるいはオブジェクトデータを識別する文字を表示することを特徴とする請求項１〜請求項４のいずれかに記載の情報処理装置。
【請求項６】
コンピュータを、
位置情報を含むオブジェクトデータを入力するオブジェクト入力手段、
前記オブジェクトデータに対する属性データを入力する属性入力手段、
前記入力されたオブジェクトデータと属性データとを対応付けて複数記憶する記憶手段、
前記記憶されたオブジェクトデータを、前記位置情報に基づいた位置に表示する表示手段、
前記記憶されたオブジェクトデータを検索するための検索データを入力する検索データ入力手段、
前記入力された検索データに基づいて、前記記憶手段に記憶されているオブジェクトデータを検索する検索手段、
前記検索されたオブジェクトデータを、前記位置情報とは異なる位置に表示する検索結果表示手段
として機能させるためのプログラム。
【手続補正２】
【補正対象書類名】明細書
【補正対象項目名】０００８
【補正方法】変更
【補正の内容】
【０００８】
【課題を解決するための手段】
上記目的を達成するために、本発明は、位置情報を含むオブジェクトデータを入力するオブジェクト入力手段と、前記オブジェクトデータに対する属性データを入力する属性入力手段と、前記入力されたオブジェクトデータと属性データとを対応付けて複数記憶する記憶手段と、前記記憶されたオブジェクトデータを、前記位置情報に基づいた位置に表示する表示手段とを備える情報処理装置において、前記記憶されたオブジェクトデータを検索するための検索データを入力する検索データ入力手段と、前記入力された検索データに基づいて、前記記憶手段に記憶されているオブジェクトデータを検索する検索手段と、前記検索されたオブジェクトデータを、前記位置情報とは異なる位置に表示する検索結果表示手段とを更に備えることを特徴とする。
【手続補正３】
【補正対象書類名】明細書
【補正対象項目名】０００９
【補正方法】変更
【補正の内容】
【０００９】
また、前記属性データは日付情報を含み、前記検索データは日付範囲を示す情報を含み、前記検索結果表示手段は、前記日付範囲に基づくカレンダー表を表示するとともに、該カレンダー表上の前記日付データに基づく位置に、前記検索されたオブジェクトデータを表示することを特徴とする。
【手続補正４】
【補正対象書類名】明細書
【補正対象項目名】００１０
【補正方法】変更
【補正の内容】
【００１０】
また、前記オブジェクトデータは画像データ、インクデータ、テキストデータ、音声データのいずれかを含むことを特徴とする。
【手続補正５】
【補正対象書類名】明細書
【補正対象項目名】００１１
【補正方法】変更
【補正の内容】
【００１１】
また、前記表示手段は、前記位置情報に基づいた位置に、前記オブジェクトデータに基づくオブジェクトイメージおよび、前記属性データに基づく属性イメージを表示することを特徴とする。
【手続補正６】
【補正対象書類名】明細書
【補正対象項目名】００１２
【補正方法】変更
【補正の内容】
【００１２】
また、前記検索結果表示手段は、前記オブジェクトデータに基づくオブジェクトイメージの一部あるいはオブジェクトデータを識別する文字を表示することを特徴とする。
【手続補正７】
【補正対象書類名】明細書
【補正対象項目名】００１３
【補正方法】変更
【補正の内容】
【００１３】
また、本発明は、コンピュータを、位置情報を含むオブジェクトデータを入力するオブジェクト入力手段、前記オブジェクトデータに対する属性データを入力する属性入力手段、前記入力されたオブジェクトデータと属性データとを対応付けて複数記憶する記憶手段、前記記憶されたオブジェクトデータを、前記位置情報に基づいた位置に表示する表示手段、前記記憶されたオブジェクトデータを検索するための検索データを入力する検索データ入力手段、前記入力された検索データに基づいて、前記記憶手段に記憶されているオブジェクトデータを検索する検索手段、前記検索されたオブジェクトデータを、前記位置情報とは異なる位置に表示する検索結果表示手段として機能させるためのプログラムである。
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】削除
【補正の内容】
【手続補正１９】
【補正対象書類名】明細書
【補正対象項目名】００２５
【補正方法】削除
【補正の内容】